(57)【特許請求の範囲】
【請求項１】
軸ブッシング（１）と回転軸組（２）と摺動ブロック（３）とを含み、固定したベース（９１）と前記ベース（９１）に対して外力で捲り上げられる上蓋（９２）とを備えたフリップ式電子製品（９）の２回転軸装置であって、
前記回転軸組（２）は、前記電子製品の前記上蓋（９２）に取り付けられる第１回転軸（２１）と前記電子製品の前記ベース（９１）に取り付けられる第２回転軸（２２）とを含み、前記第１回転軸（２１）の両側に第１軸部（２１１）と第１案内部（２１２）とを形成し、前記第１案内部（２１２）の表面にらせん状の押さえ溝（２１３）を凹設し、かつ前記第１軸部（２１１）を前記軸ブッシング（１）に枢着し、前記第１案内部（２１２）を前記軸ブッシング（１）の一側より突出せしめると共に、前記第２回転軸（２２）の両側に第２軸部（２２１）と第２案内部（２２２）を形成し、前記第２案内部（２２２）の表面にらせん状の制限溝（２２３）を凹設し、前記制限溝（２２３）の両側に第１側壁（２２４）と第２側壁（２２５）を形成し、かつ前記第２軸部（２２１）を前記軸ブッシング（１）に枢着し、前記第２案内部（２２２）を前記軸ブッシング（１）の前記第１案内部（２１２）と同じ側面より突出せしめ、
前記摺動ブロック（３）は、前記回転軸組（２）の前記第１案内部（２１２）と前記第２案内部（２２２）との間に位置し、前記摺動ブロック（３）は本体（３１）を有し、前記本体（３１）の上下両端の表面にそれぞれ第１突起部（３４）と第２突起部（３５）を凸設し、前記第１突起部（３４）は前記回転軸組（２）の前記押さえ溝（２１３）に位置し、前記第２突起部（３５）は前記回転軸組（２）の前記制限溝（２２３）に位置していて、かつ前記第１側壁（２２４）と前記第２側壁（２２５）間の幅が前記第２突起部（３５）の幅より大きく、前記第２突起部（３５）が前記第１側壁（２２４）に係止したとき、前記第２突起部（３５）と前記第２側壁（２２５）との間に移動空間（２２６）が形成されると共に、前記第２突起部（３５）が前記第２側壁（２２５）に係止したとき、前記第２突起部（３５）と前記第１側壁（２２４）との間に制限空間（２２７）が形成され、
外力によって前記第１回転軸（２１）に回転力を加えると、前記第１回転軸（２１）が回転して、前記押さえ溝（２１３）によって前記第１突起部（３４）を押し込み、前記第２突起部（３５）が前記第２側壁（２２５）に係止するまで、前記摺動ブロック（３）を前記第２側壁（２２５）の方向に移動させ、
前記第２突起部（３５）が前記第２側壁（２２５）に係止して、前記第１回転軸（２１）がその軸回りに回転することが出来ない状態で、前記第１回転軸（２１）に更に回転力を加えると、前記第１回転軸（２１）は前記摺動ブロック（３）及び前記軸ブッシング（１）と一体になって前記第２回転軸（２２）の軸回りに回転し、この前記摺動ブロック（３）の前記第２回転軸（２２）の軸回りの回転に伴って、前記第２突起部（３５）が前記第１側壁（２２４）に係止するまで前記摺動ブロック（３）を前記第１側壁（２２４）の方向に移動させるように構成したことを特徴とする、フリップ式電子製品の２回転軸装置。
【請求項２】
前記回転軸組（２）は、第１固定具（２３）と第２固定具（２４）と第３固定具（２５）と固定ロッド（２６）とをさらに含み、前記第１固定具（２３）と前記第２固定具（２４）を前記軸ブッシング（１）の両側に設け、前記第３固定具（２５）を前記第２固定具（２４）に対して前記第１固定具（２３）とは反対側に設け、前記固定ロッド（２６）の両端をそれぞれ前記第２固定具（２４）と前記第３固定具（２５）の両端との間に接続し、前記摺動ブロック（３）の前記本体（３１）に前記本体（３１）の両側の表面を貫く案内穴（３１１）を設け、前記固定ロッド（２６）は前記案内穴（３１１）に位置することを特徴とする、請求項１記載のフリップ式電子製品の２回転軸装置。
【請求項３】
軸ブッシング（１）と回転軸組（２）と摺動ブロック（３）と連桿組（４）を含み、固定したベース（９１）と前記ベース（９１）に対して外力で捲り上げられる上蓋（９２）を備えたフリップ式電子製品（９）の２回転軸装置であって、
前記回転軸組（２）は、前記電子製品の前記上蓋（９２）に取り付けられる第１回転軸（２１）と前記電子製品の前記ベース（９１）に取り付けられる第２回転軸（２２）とを含み、前記第１回転軸（２１）の両側に第１軸部（２１１）と第１案内部（２１２）とを形成し、前記第１案内部（２１２）の表面にらせん状の押さえ溝（２１３）を凹設し、かつ前記第１軸部（２１１）を前記軸ブッシング（１）に枢着し、前記第１案内部（２１２）を前記軸ブッシング（１）の一側より突出せしめると共に、前記第２回転軸（２２）の両側に第２軸部（２２１）と第２案内部（２２２）を形成し、前記第２案内部（２２２）の表面にらせん状の制限溝（２２３）を凹設し、前記制限溝（２２３）の両側に第１側壁（２２４）と第２側壁（２２５）を形成し、かつ前記第２軸部（２２１）を前記軸ブッシング（１）に枢着し、前記第２案内部（２２２）を前記軸ブッシング（１）の前記第１案内部（２１２）と同じ側面より突出せしめ、
前記摺動ブロック（３）は、前記回転軸組（２）の前記第１案内部（２１２）と前記第２案内部（２２２）との間に位置し、前記摺動ブロック（３）は本体（３１）を有し、前記本体（３１）の上下両端の表面にそれぞれ第１突起部（３４）と第２突起部（３５）を凸設し、前記第１突起部（３４）は前記回転軸組（２）の前記押さえ溝（２１３）に位置し、前記第２突起部（３５）は前記回転軸組（２）の前記制限溝（２２３）に位置していて、かつ前記第１側壁（２２４）と前記第２側壁（２２５）間の幅が前記第２突起部（３５）の幅より大きく、
前記連桿組（４）は、第１回転具（４１）と第２回転具（４２）と制限具（４３）を含み、前記第１回転具（４１）の表面の中央位置に第１接続穴（４１１）を設け、前記第１接続穴（４１１）を前記回転軸組（２）の前記第１軸部（２１１）の末端に常時接続し、かつ前記第１回転具（４１）の表面には前記第１接続穴（４１１）の一側に第１制限柱（４１２）を凸設し、前記第２回転具（４２）の表面の中央位置に第２接続穴（４２１）を設け、前記第２接続穴（４２１）を前記回転軸組（２）の前記第２軸部（２２１）の末端に常時接続していて、かつ前記第２回転具（４２）の表面には前記第２接続穴（４２１）の一側に第２制限柱（４２２）を凸設し、前記制限具（４３）の両端はそれぞれに第１取付穴（４３１）と第２取付穴（４３２）を設け、第１制限柱（４１２）と前記第２制限柱（４２２）は、それぞれ前記第１取付穴（４３１）と前記第２取付穴（４３２）に位置し、前記第１取付穴（４３１）は前記第２取付穴（４３２）の端部付近の位置に第１係止端（４３１１）を形成し、前記第２取付穴（４３２）から離れる位置に第２係止端（４３１２）を形成し、かつ前記第１係止端（４３１１）と前記第２係止端（４３１２）との距離が前記第１制限柱（４１２）の外径より大きく、
前記第２突起部（３５）が前記第１側壁（２２４）に係止したとき、前記第２突起部（３５）と前記第２側壁（２２５）との間に移動空間（２２６）を形成し、前記連桿組（４）の前記第１制限柱（４１２）が第２係止端（４３１２）に係止し、外力によって前記第１回転軸（２１）に回転力を加えたとき、前記第１回転軸（２１）が回転して、前記第１案内部（２１２）の前記押さえ溝（２１３）によって前記第１突起部（３４）を押し込み、前記第２突起部（３５）が前記第２側壁（２２５）に係止するまで、前記摺動ブロック（３）を前記第２側壁（２２５）の方向に移動させると同時に、前記第１回転軸（２１）が前記第１回転具（４１）を連動して回転させ、前記第１制限柱（４１２）と前記第２制限柱（４２２）との間の距離を小さくして、前記第１制限柱（４１２）を前記第１係止端（４３１１）に移動させ、前記第２突起部（３５）が前記第２側壁（２２５）に係止し、前記第２突起部（３５）が前記第１側壁（２２４）との間に制限空間（２２７）を形成して、前記連桿組（４）の前記第１制限柱（４１２）を前記第１係止端（４３１１）に係止し、
前記第２突起部（３５）が前記第２側壁（２２５）に係止して、前記第１回転軸（２１）がその軸回りに回転することが出来ない状態で、前記第１回転軸（２１）に更に回転力を加えると、前記第１回転軸（２１）は前記摺動ブロック（３）及び前記軸ブッシング（１）と一体になって前記第２回転軸（２２）の軸回りに回転し、この前記摺動ブロック（３）の前記第２回転軸（２２）の軸回りの回転に伴って、前記第２突起部（３５）が前記第１側壁（２２４）に係止するまで移動すると共に、前記第２突起部（３５）と前記第２側壁（２２５）との間に移動空間（２２６）を形成し、
前記第１回転軸（２１）が前記第１回転具（４１）を連動して、前記第２回転軸（２２）の回りに回転せしめ、前記第１制限柱（４１２）と前記第２制限柱（４２２）との間の距離を増大させて、前記第１制限柱（４１２）を前記第２係止端（４３１２）に移動させることを特徴とする、フリップ式電子製品の２回転軸装置。
【請求項４】
前記回転軸組（２）は、第１固定具（２３）と第２固定具（２４）と第３固定具（２５）と固定ロッド（２６）とをさらに含み、前記第１固定具（２３）と前記第２固定具（２４）を前記軸ブッシング（１）の両側に設け、前記第３固定具（２５）を前記第２固定具（２４）に対して前記第１固定具（２３）とは反対側に設け、前記固定ロッド（２６）の両端をそれぞれ前記第２固定具（２４）と前記第３固定具（２５）の両端との間に接続し、前記摺動ブロック（３）の前記本体（３１）に前記本体（３１）の両側の表面を貫く案内穴（３１１）を設け、前記固定ロッド（２６）は前記案内穴（３１１）に位置することを特徴とする、請求項３記載のフリップ式電子製品の２回転軸装置。
【発明の詳細な説明】
【技術分野】
【０００１】
本発明は、特にフリップ式電子製品のベースと上蓋との間に回転軸装置を設けることによって、電子製品の上蓋をベースに対して捲り上げる回転軸構造のフリップ式電子製品の２回転軸装置に関する。
【背景技術】
【０００２】
現在のノートパソコン、スマートフォンなどのフリップ式電子製品は、ベースと上蓋の組み合せで構成されている。そのうち、一部のフリップ式電子製品の上蓋をベースの底面に捲り上げることができ、フリップ式電子製品をタブレットＰＣとして使用するか、または２枚のタッチスクリーンによって組み合わせた折り畳み式タブレットＰＣを１８０度に開いて利用することも出来る。一般に、タブレットＰＣに使用されるフリップ式電子製品は、２軸の回転軸装置によってフリップ操作を達成する。この種の回転軸装置は軸ブッシングによって、第１回転軸と第２回転軸を枢着し、電子製品の上蓋とベースをそれぞれ第１回転軸と第２回転軸につないで、上蓋をベースの底面に捲るか又は上蓋をベースの底面からベース表面にかぶせることができる。
【発明の概要】
【発明が解決しようとする課題】
【０００３】
公知技術による回転軸装置の第１回転軸と軸ブッシングの回転に関する回転方式は、スクリュー式と連桿式の２種類に分けられる。そのうち、スクリュー式の回転軸装置は、主に第１回転軸と第２回転軸にらせん状の案内溝を設けると共に、第１回転軸と第２回転軸との間に滑り駒を設けることによって、滑り駒両端の突起部をそれぞれ案内溝に納める。一方、連桿式の回転軸装置は、主に連桿を第１回転軸と第２回転軸の側面に枢着する。しかし、スクリュー式回転軸装置または連桿式回転軸装置であっても、設計者はいずれの設計も極めて重要な問題を見落としている。つまり、回転軸装置は電子製品の上蓋とベースとの間の両側に設けられ、２つの回転軸装置には連動機構を設けていない。上蓋の剛性も不足しているため、使用者が上蓋を捲り上げるときは、２つの回転軸装置が受ける力の釣り合いがとれない。そのためにスクリュー式回転軸装置では、２つの回転軸装置が受ける力の不均衡によって回転角度が異なり、上蓋の両側とベースとの間に形成される角度の違いも大きく、使用者に簡単に気付かれる。さらに、第１回転軸と、第２回転軸と、滑り駒が同時に作動するため、もし２回転軸装置の回転角度が異なると、スムーズに捲り上げることはできなくなり、回転軸装置の摩耗が大きくなり、使用寿命が短縮される。
【課題を解決するための手段】
【０００４】
本発明の主な目的は、らせん案内方式を利用し、回転軸装置の第１回転軸の軸回りの回転と、軸ブッシングが第２回転軸の軸回りの回転と、が交互に作用して回動することによって、第１回転軸の回転角度及び軸ブッシングが第２回転軸の軸回りの回動角度を制限して、回転軸装置を順調に稼働させ、過度な磨耗による寿命の短縮を避けると共に、電子製品両側の回転軸装置において、２つの回転軸に過大な回転角度差と、２つの軸ブッシングが第２回転軸の軸回りの回動角度差を防ぎ、一定範囲に維持し、電子製品の上蓋の両側とベースとの間に過大な角度差を引き起こさず、電子製品の上蓋とベースを展開して使用するときに、上蓋とベースの表面が平行になり、上蓋がベースの底面に捲られたとき、上蓋とベースの側面が突き出すことなく面一になる。
【０００５】
本発明の次の目的は、連稈組を利用することによって、第１回転軸の回転角度と、軸ブッシングが第２回転軸の軸回りの回動角度をさらに制限して、回転軸装置の精度を向上させると共に、電子製品の上蓋の両側とベースとの間の過大な角度差を防止する。
【０００６】
前記目的を達成するため、本発明のフリップ式電子製品の２回転軸装置は、軸ブッシングと、回転軸組と、摺動ブロックと、を備える。回転軸組は、第１回転軸と第２回転軸とを含む、かつ、第１回転軸と第２回転軸の一側それぞれらせん状の押さえ溝と、らせん状制限溝を設けていて、かつ制限溝の両側に第１側壁と第２側壁とを形成し、摺動ブロックを第１回転軸と第２回転軸との間に取付け、摺動ブロックの両端に第１突起部と第２突起部を設け、第１突起部と第２突起部をそれぞれ摺動ブロックと制限溝の内部に位置し、制限溝の第１側壁と第２側壁の幅が第２突起部の幅より広く、第２突起部を第１側壁に係止したとき、第２突起部と第２側壁との間の間隔に移動空間が形成され、外力を加えて第１回転軸に枢転力を与えたとき、第１回転軸が枢転し、第１案内部が第１突起部を押し込むことによって、摺動ブロックを第２側壁方向に移動させ、第２突起部を第２側壁に係止したとき、第２突起部が第１側壁との間に制限空間を形成し、外力を加えて、第１回転軸に回転力を与えたときに、第１回転軸はその軸の回りに動くことができないため、第１回転軸に更に回転力を加えると、第１回転軸は摺動ブロック及び軸ブッシングと一体になって、第２回転軸の軸回りに回転し、第２突起部を第１側壁に近寄せる。
【０００７】
前述フリップ式電子製品の２回転軸装置の回転軸組の一側に連稈組を設けられ、連稈組は、第１回転具と第２回転具と制限具を含む。第１回転具が常時に回転軸組の第１軸部の末端に接続していて、かつ第１回転具の表面は第１接続穴の一側に第１制限柱を凸設し、第２回転具が常時に回転軸組の第２軸部の末端に接続していて、かつ第２回転具の表面は第２接続穴の一側第２制限柱を設け、制限柱表面の両端にそれぞれ第１制限穴と、第２制限穴を設け、第１制限柱と第２制限柱がそれぞれ第１制限穴と第２制限穴の内部に位置し、第１制限穴が第２制限穴の近端に第１係止端を形成し、第２制限穴の遠端に第２係止端を形成していて、かつ第１係止端と第２係止端の距離が第１制限柱の外径より大きい。第２突起部を第１側壁に係止したとき、連稈組の第１制限柱が第２係止端に係止されるため、外力を第１回転軸に枢転動力を加えると、第１回転軸が枢転して、第１回転具を回転させ、第１制限柱と第２制限柱との間の距離を縮小して、第１制限柱を第１係止端に向かって移動する。第２突起部を第２側壁に係止したとき、連稈組の第１制限柱が第１係止端に係止され、外力を第１回転軸に枢転動力を加えると、第１回転軸は摺動ブロック及び軸ブッシングと一体になって、第２回転軸の軸回りに回転し、第１制限柱と第２制限柱との間の距離を増大させ、第１制限柱を第２係止端に向かって移動される。
【図面の簡単な説明】
【０００８】
【図１】本発明の回転軸装置の上面図である。
【図２】本発明の回転軸装置の立体外観図である。
【図３】本発明の回転軸装置の側視図である。
【図４】本発明の回転軸装置の立体分解図である。
【図５】本発明の摺動ブロックの立体断面図である。
【図６】本発明の回転軸装置の動作を示す図である。
【図７】本発明の回転軸組と摺動ブロックの作動を示す図である（その１）。
【図８】本発明の回転軸組と摺動ブロックの作動を示す図である（その２）。
【図９】本発明を適用された電子製品の回転動作を示す図である。
【図１０】本発明の回転軸組と連桿の作動を示す図である（その１）。
【図１１】本発明の回転軸組と連桿の作動を示す図である（その２）。
【発明を実施するための形態】
【０００９】
以下、添付図面を参照して本発明の実施の形態を詳細に説明する。
【実施例】
【００１０】
図１ないし５を参照する。本発明は電子製品９のベース９１と上蓋９２との間の両側にそれぞれ回転軸装置１０、１０'を設け、回転軸装置１０は軸ブッシング１と、回転軸組２と、摺動ブロック３と、連桿組４とを含む。そのうち、
【００１１】
軸ブッシング１は基部１１を有し、基部１１上方の一側は他側に屈折して第１押さえ部１２を延在せしめ、第１押さえ部１２と基部１１との間に第１回転軸空間１３を形成し、基部１１下方の一側は他側に屈折して第２押さえ部１５を延在せしめ、第２押さえ部１５と基部１１との間に第２回転軸空間１６を形成する。さらに、第１押さえ部１２の末端と基部１１との間に第１切り欠き１４を形成し、第２押さえ部１５の末端と基部１１との間に第２切り欠き１７を形成する。第１切り欠き１４と第２切り欠き１７は基部１１のそれぞれ異なる側面に位置する。
【００１２】
回転軸組２は、第１回転軸２１と第２回転軸２２と第１固定具２３と第２固定具２４と第３固定具２５と固定ロッド２６とを含む。第１回転軸２１の両側に、第１軸部２１１と第１案内部２１２とを形成する。第１案内部２１２の表面にらせん状の押さえ溝２１３を凹設し、かつ第１軸部２１１を軸ブッシング１の第１回転軸空間１３に枢着せしめる。第１案内部２１２は軸ブッシング１の一側から突き出す。第２回転軸２２の両側に第２軸部２２１と第２案内部２２２とを形成する。第２案内部２２２の表面にらせん状の制限溝２２３を凹設し、制限溝２２３の両側に第１側壁２２４と第２側壁２２５とを形成する。押さえ溝２１３と制限溝２２３を対向するように設置し、かつ第２軸部２２１を軸ブッシング１の第２回転軸空間１６に枢着せしめる。第２案内部２２２を、第１案内部２１２と同じように、軸ブッシング１の一側から突き出す。さらに、第１固定具２３と、第２固定具２４を軸ブッシング１の両側に設けていて、かつ第１固定具２３と第２固定具２４の両端には、それぞれ第１取付穴（２３１、２４１）と第２取付穴（２３２、２４２）を設け、第１取付穴（２３１、２４１）と第２取付穴（２３２、２４２）を、それぞれ軸ブッシング１の第１回転軸空間１３と第２回転軸空間１６に対向するように設け、第１回転軸２１の第１軸部２１１の両側は第１取付穴（２３１、２４１）に位置し、第２回転軸２２の第２軸部２２１の両側は第２取付穴（２３２、２４２）に位置する。第３固定具２５は、第２固定具２４に対して第１固定具２３とは反対側に設け、第３固定具２５の両端には、それぞれ第１取付穴２５１と第２取付穴２５２を設け、第１回転軸２１の第１案内部２１２の末端と、第２回転軸２２の第２案内部２２２の末端は、それぞれ第３固定具２５の第１取付穴２５１と第２取付穴２５２に位置する。さらに、固定ロッド２６の両端を、それぞれ第２固定具２４と第３固定具２５の両端の間に接続する。
【００１３】
摺動ブロック３を回転軸組２の第２案内部２２２と第１案内部２１２との間に設け、摺動ブロック３は本体３１を有し、本体３１はその両側の表面を貫く案内穴３１１を設け、回転軸組２の固定ロッド２６は案内穴３１１に位置する。本体３１の上下両端の表面に、それぞれ第１制限溝３２と第２制限溝３３を凹設し、第１制限溝３２の内部に第１突起部３４を凸設し、第１突起部３４は回転軸組２の押さえ溝２１３に位置し、第２制限溝３３の内部に第２突起部３５を凸設し、第２突起部３５は回転軸組２の制限溝２２３に位置する。
【００１４】
連桿組４は第１回転具４１と第２回転具４２と制限具４３とを含む。第１回転具４１の表面の中央位置に第１接続穴４１１を設け、第１接続穴４１１を回転軸組２の第１軸部２１１の末端に常時接続していて、かつ第１回転具４１の表面には、第１接続穴４１１の一側に第１制限柱４１２を凸設する。第２回転具４２表面の中央位置に第２接続穴４２１を設け、第２接続穴４２１を回転軸組２の第２軸部２２１の末端に常時接続していて、かつ第２回転具４２の表面には、第２接続穴４２１の一側に第２制限柱４２２を凸設する。制限具４３の両端は、それぞれに第１取付穴４３１と第２取付穴４３２を設け、第１制限柱４１２と第２制限柱４２２は、それぞれ第１取付穴４３１と第２取付穴４３２に位置する。第１取付穴４３１は第２取付穴４３２の端部付近位置に第１係止端４３１１を形成し、第２取付穴４３２から離れる位置に第２係止端４３１２を形成する。かつ第１係止端４３１１と第２係止端４３１２との距離は第１制限柱４１２の外径より大きい。
【００１５】
引き続き、図１と図６ないし図９を参照する。使用者が上蓋９２をベース９１から離れる方向に捲るとき、第１回転軸２１に回転力を加えることによって、第２回転軸２２を中心に、軸ブッシング１を回転させる力が引き起こされる。すなわち、図７に示すように、第２突起部３５が第２側壁２２５に係止されているときに、第２突起部３５は第１側壁２２４との間で制限空間２２７を形成し、図６に示すように、外力によって第１回転軸２１に矢印のような回転力を加えると、第２突起部３５が第２側壁２２５に係止されているので、第１回転軸２１の押さえ溝２１３は、破線矢印で示す方向に、第１突起部３４を押し込むことができない。第１回転軸２１を回転せしめようとする上記外力を依然として加え続けることにより、軸ブッシング１及びこれに第１回転軸２１と第２回転軸２２を介して組み付けられている摺動ブロック３が第１回転軸２１と一体になって、第２回転軸２２の軸回りに回転することになる。なぜなら、摺動ブロック３はその第２突起部３５の右側（図７を参照のこと）に制限空間２２７が形成されているため、第２突起部３５は右方へ移動することができるので、摺動ブロック３は第２回転軸２２の回りに回転することができる。回転に伴って第２突起部３５は制限溝２２３に沿って（図７で右方向に）移動すると同時に、第１側壁２２４に係止して、第２回転軸２２の回りの摺動ブロック３の回転は停止する。第２突起部３５が第１側壁２２４に係止することによって、図８に示すように、第２突起部３５と第２側壁２２５との間の間隔に移動空間２２６が形成される。このとき、第２突起部３５の第１側壁２２４への係止を受けて、摺動ブロック３と軸ブッシング１は第２回転軸２２の回りの回転を停止する。引き続き、外力が第１回転軸２１に回転力を加えると、第１回転軸２１の押さえ溝２１３によって、第１突起部３４を図８において左方に押し込み、この方向に移動空間２２６が形成されているため、摺動ブロック３を第２側壁２２５の方向に移動させることができると共に、第２側壁２２５に係止せしめ、第２突起部３５は、図７に示すように第１側壁２２４との間に制限空間２２７を形成する。前述の操作を繰り返すことによって、第１回転軸２１を回転させると共に、軸ブッシング１と摺動ブロック３を第２回転軸２２の回りに回転させる動きが交互に働く。第１回転軸２１の回転角度及び軸ブッシング１と摺動ブロック３の第２回転軸２２の回りの回転角度を制限することによって、電子製品９両側の回転軸装置１０における２つの第１回転軸２１の回転角度の誤差及び２つの軸ブッシング１が第２回転軸２２の回りの回転角度の誤差が一定範囲に維持され、上蓋９２両側とベース９１との間の角度に過大な誤差を形成せず、しかも回転軸装置１０はスムーズに回転され、過大な誤差による不要な摩耗を防ぐことができる。さらに、図９に示すとおり、第１回転軸２１が固定角度により回転した後に、軸ブッシング１と摺動ブロック３が第２回転軸２２の回りに一定角度で回転し両者が交互に作動し、上蓋９２を捲らしてベース９１と平行になったとき、軸ブッシング１も上蓋９２及びベース９１の表面と平行状態になり、使用者は電子製品９を机の表面に張り付けて使用することができ、上蓋９２またはベース９１が机の表面に張り付けられないことのハプニングを発生させない。さらに、上蓋９２をベース９１の底面位置に捲らしたとき、軸ブッシング１と上蓋９２とベース９１が垂直状態になり、上蓋９２とベース９１の縁部が一直線となり、側面の突き出しは見られない。
【００１６】
引き続き、図１と図６ないし図１１を参照する。第１回転軸２１が回転するときに、第１回転具４１が連動して回転することによって、第１制限柱４１２と第２制限柱４２２との間の距離が次第に大きくなり、第１回転軸２１が第２回転軸２２の回りを回転することによって、第１制限柱４１２と第２制限柱４２２との間の距離が次第に小さくなり、第２突起部３５が第２側壁２２５に係止されているとき、図７に示すように、第２突起部３５が第１側壁２２４との間に制限空間２２７を形成し、連桿組４の第１制限柱４１２が第１係止端４３１１に係止される。外力から第１回転軸２１に加えられる回転力は、第２突起部３５が第２側壁２２５に係止されているため、第１回転軸２１の押さえ溝２１３が第１突起部３４を押し込むことはできなく、第１制限柱４１２が第１係止端４３１１によって係止され、第２制限柱４２２に近寄せることはできず、第１回転軸２１は回転できなくなり、第１回転軸２１によって、軸ブッシング１と摺動ブロック３を第２回転軸２２の軸回りに回転させて、第２突起部３５を第１側壁２２４に近寄せる。さらに、第１回転軸２１が第１回転具４１と連動して第２回転軸２２の軸回りに回転し、第１制限柱４１２と第２制限柱４２２との間の距離を増大させ、第１制限柱４１２を第２係止端４３１２に移動せしめると同時に、第２係止端４３１２に係止される。一方、第２突起部３５が第１側壁２２４と係止されると同時に、第１制限柱４１２も第２係止端４３１２に係止され、第１回転軸２１が引き続き摺動ブロック３と軸ブッシング１を一緒に第２回転軸２２の回りに回転させることはできない。よって、外力から第１回転軸２１に加えられる回転力によって、第１回転軸２１を回転させ、第１回転軸２１の押さえ溝２１３が第１突起部３４を押し込み、摺動ブロック３を第２側壁２２５の方向に移動せしめて第２側壁２２５に係止させると、第２突起部３５は第１側壁２２４との間に制限空間２２７を形成し、第１回転軸２１が第１回転具４１を連動して回転せしめることによって、第１制限柱４１２と第２制限柱４２２との間の距離を次第に増大させて、第１制限柱４１２を第１係止端４３１１に係止せしめる。前述の動作を繰り返すことによって、第１回転軸２１を回転させたり、軸ブッシング１と摺動ブロック３を第２回転軸２２の軸回りに回転せしめる動作が、交互に作動される。本発明は連桿組４を設けることによって、仮に押さえ溝２１３または制限溝２２３の摩損によって誤差が発生していても、連桿組４はなお第１回転軸２１の回転角度及び軸ブッシング１と摺動ブロック３の第２回転軸２２の軸回りの回転角度を正確に制限することができ、電子製品９の両側の回転軸装置１０において、２つの第１回転軸２１の枢転角度の誤差及び２つの軸ブッシング１が第２回転軸２２の回りの回転角度の誤差を一定範囲に維持し、上蓋９２の両側とベース９１との間の過大な角度誤差を防ぐことができる。
【符号の説明】
【００１７】
１０、１０'    回転軸装置
１    軸ブッシング
１１    基部
１２    第１押さえ部
１３    第１回転軸空間
１４    第１切欠き部
１５    第２押さえ部
１６    第２回転軸空間
１７    第２切欠き部
２    回転軸組
２１    第１回転軸
２１１    第１軸部
２１２    第１案内部
２１３    押さえ溝
２２    第２回転軸
２２１    第２軸部
２２２    第２案内部
２２３    制限溝
２２４    第１側壁
２２５    第２側壁
２２６    移動空間
２２７    制限空間
２３    第１固定具
２３１、２４１、２５１    第１取付穴
２３２、２４２、２５２    第２取付穴
２４    第２固定具
２５    第３固定具
２６    固定ロッド
３    摺動ブロック
３１    本体
３１１    案内穴
３２    第１制限溝
３３    第２制限溝
３４    第１突起部
３５    第２突起部
４    連稈組
４１    第１回転具
４１１    第１接続穴
４１２    第１制限柱
４２    第２回転具
４２１    第２接続穴
４２２    第２制限柱
４３    制限具
４３１    第１取付穴
４３１１    第１係止端
４３１２    第２係止端
４３２    第２取付穴
９    電子製品
９１    ベース
９２    上蓋
【図１】
0006228156.tif 000002
【図２】
0006228156.tif 000003
【図３】
0006228156.tif 000004
【図４】
0006228156.tif 000005
【図５】
0006228156.tif 000006
【図６】
0006228156.tif 000007
【図７】
0006228156.tif 000008
【図８】
0006228156.tif 000009
【図９】
0006228156.tif 000010
【図１０】
0006228156.tif 000011
【図１１】
0006228156.tif 000012